(57)【要約】【課題】体にフィット感のあるエプロンであって、食べこぼしを確実に受け止めることが可能なポケットを有しているエプロンを提供する。【解決手段】柔軟、かつ薄手で張りの弱いポリオレフィン系シートＢでなるエプロＡンの胸当て部１の両側を中裏状態で重ね合わせ、その重ね合わせた上層の表面をその上方の表面に中表状態で重ね合わせることにより胸当て部１の両側を三層構造にすると共に、係止部材５で留めることにより胸当て部１の下方に袋部７を形成しているエプロン。【選択図】  図３
2004211256.tif 000002
【特許請求の範囲】
【請求項１】
柔軟かつ張りが弱い薄手のシートでなるエプロンの胸当て部の両側の所定位置を三角形状に中裏状態で重ね合わせ、この重ね合わせた上部の表面側を上方の表面に中表状態で重ね合わせ、前記中裏状態および中表状態の三層の全面あるいは一部を接合手段によって互いに接合することにより胸当て部の下方に袋部が形成されていることを特徴とするエプロン。
【請求項２】
前記接合手段が、前記三層のいずれかの端縁に設けられ、かつ他の端縁に係合することができる係止部材である請求項１記載のエプロン。
【請求項３】
前記接合手段が、前記中裏面および中表面を相互に面結合する係止部材である請求項１記載のエプロン。
【請求項４】
前記接合手段が、前記三層の中間層の面の適当な位置に穿設した貫通孔と、前記中間層を介して相対している面のそれぞれに設けた前記貫通孔を貫通する係止部材とからなる請求項１記載のエプロン。
【発明の詳細な説明】
【０００１】
【発明の属する技術分野】
本発明はポケットを形成することができるエプロンに関する。さらに詳しくは、使用するときは一枚のシートから立体的なポケットを形成し、不使用のときはポケットを解消してフラットなシートに形成することができるエプロンに関する。
【０００２】
【従来の技術】
【特許文献１】特開２００２−８８５３３
【０００３】
特許文献１のエプロンのポケットの形成方法は前垂れ部の下端を所定幅、手前から上に折り曲げて２枚合わせにし、その左右下端の角を後ろから斜め上方に持ち上げることで三角形に折り曲げた該部分を前記前垂れ部分の背面または前記２枚合わせにした前側に重ね合わせている。従って前記三角形に折り曲げた部分とこれが重なり合った部分の三層によってポケットの側襠が形成されるから、エプロンの胸当ての部分は反り返ってしまうことになる。さらにこの文献のエプロンの素材は可撓性のシートであるから、前記ポケットの側襠、つまり可撓性のシートによる三層構造の部分は一層張りが強力になり、前記の反りは一層大きく、また反りの中心部分は固くなって、胸に当たるところが凸湾面になる。また前記側襠の形成によっていわゆる胸当手部分の両側は側襠方向へ巻き込まれるので、胸当て部の幅が狭くなってしまう。
【０００４】
したがって胸当て部の面は使用者の胸に密着し難く、遊離した状態で着用することになる。よってこのエプロンの使用感は使用者の胸とエプロンの一体感が欠如しているから、不安定である。またエプロンが体の動作によって簡単に動き、ポケットが胸の中央からずれて食べこぼしを受け止めることができなくなるといった問題点がある。さらに胸当て部の両側がポケットの側襠に変化するので、胸当て部の幅が狭くなり、使用者の胸の両側を覆いきれないといった問題点もある。
【０００５】
【発明が解決しようとする課題】
本発明は、体にフィット感のあるエプロンであって、食べこぼしを確実に受け止めることが可能なポケットを有しているエプロンを提供することを技術的課題としている。
【０００６】
【課題を解決するための手段】
本発明のエプロン（請求項１）は、柔軟かつ張りが弱い薄手のシートでなるエプロンの胸当て部の両側の所定位置を三角形状に中裏状態で重ね合わせ、この重ね合わせた上部の表面側をそれぞれの上方の表面に中表状態で重ね合わせ、前記中裏状態および中表状態の三層の全面あるいは一部を接合する接合手段によって袋部を形成することができることを特徴としている。本発明のエプロンの素材となる柔軟かつ張りが弱い薄手のシートとは、掌を天に向けた状態でシートを乗せたとき、シートが掌から垂直方向に即刻垂れ下がる程度のものを意味する。このようなシートでは、シ−トを表面から引き寄せ、かつ裏面同士が重合するように摘むことが簡単にできる。さらに例えばシートを湾曲させたとき、その湾曲面を保持することも可能である。またシートは折畳まれた部分を押さえつけても紙のように折畳み線は形成されるものではない。
【０００７】
このようなエプロンの前記接合手段は前記三層のいずれかの端縁に設けられ、かつ他の端縁に係合することができる係合部を有している係止部材であることが好ましい（請求項２）。また前記接合手段が前記中裏面および中表面が相互に面結合する係合部材であってもよい（請求項３）。さらに前記接合手段が前記三層の中間層の面の適当な位置に穿設した貫通孔と、前記中間層を介して相対している面のそれぞれに設けた前記貫通孔を貫通する係止部材とからなるものであっても良い（請求項４）。
【０００８】
【作用および発明の効果】
本発明のエプロン（請求項１）の袋部は、柔軟かつ張りが弱い薄手のシートでなる胸当て部の両側にシートの所定位置を三角形状に中裏状態で重ね合わせて三層に形成することによって胸当て部の下方は一枚のシートの張り力よりも強くなっているので、袋部は左右方向に張り力を有するが、一方袋部の前面の張り力は前記三層部分の張り力に抗して原状に戻ろうとする張り力はない。したがって、胸当て部の両側が三層に形成されていても、シートの前記性質上、外側に反り返ることは防止され、また胸当て部の扁平状態は保持され、さらに三層部分が袋部の側襠を形成することはないから、胸当て部の幅は減少することなく、広い幅を維持して使用者の胸を全面的に覆うことを可能にしている。また反り返りが無いので、着用状態は極めて安定している。一方、袋部は前面のシートが弱いながらも適度な張りを有しているから、前記の三層による横方向への張り力と相俟って口部を大きく開口することを可能にしている。
【０００９】
このようなエプロンの前記接合手段が前記三層のいずれかの端縁に設けられかつ他の端縁に係合することができる係止部材である（請求項２）場合、係止部材が三層のいずれかの端縁にあるので、三層を接合するのに煩雑さがなく、袋部の形成を簡単迅速に行うことができる。また、袋部を解消する場合も簡単である。
【００１０】
また接合手段が前記中裏面および中表面が相互に面結合する係合部材である係止部材である場合（請求項３）、前記三層はシートを重ね合わせるだけで袋部を形成することができるので、簡単迅速である。また袋部を解消する場合も三層の面の結合面を互いに引っ張るだけで簡単に行うことができる。
【００１１】
さらに前記接合手段が前記三層の中間層の面の適当な位置に穿設した貫通孔と、前記中間層を介して相対している面のそれぞれに設けた前記貫通孔を貫通する係止部材とからなる場合（請求項４）、係止部材が設けられているのは三層のうち、一層目と三層目だけであるから、係合作業は貫通孔を介して当該部分を係合するだけであるから、簡単迅速に袋部を形成することができる。また袋部を解消して大型のエプロンに形成する場合も前記係止部材を外すだけであるから簡単迅速である。
【００１２】
【発明の実施の形態】
つぎに図面を参照しながら本発明のエプロンの実施形態を説明する。
図１は本発明のエプロンの一実施形態を示す展開正面図、図２ａ、図２ｂ、および図２ｃは本発明の袋部の形成過程を示す一部正面図、図３は図１のエプロンの袋部付きの斜面図、図４はそのエプロンの使用状態説明図、図５ａ、図５ｂは本発明のエプロンの他の実施形態を示す要部斜面図である。
【００１３】
図１のエプロンＡは胸当て部１と取り付け部２が一枚のシートＢを略瓢箪型に切断してなっている。シートＢの素材としては軟質性ＰＯ（ポリオレフィン）系フィルムを使用している。その厚さは０．１〜０．４のものが好ましい。さらには０．２〜０．３のものが柔軟かつエプロンに適した弱い張り力を有しているので一層好ましい。このエプロンは厚さが０．３ｍｍ前後のエマソフトアース（オカモト株式会社製）のシートを使用している。このシートはエプロンに最適な弱い張りを有しているものの非常に柔軟で、２本の指先でシート表面を引き寄せることができ、かつ折り曲げが抵抗なく簡単にできる。またシートが重なり合って厚みが倍になっても極端に厚みが増すことは無く、また柔軟であるから、後述する袋の形成が片方の手の指先によって簡単容易に行うことができる。
【００１４】
エプロンＡは胸当て部１の両側に係合凸３ａを有している雄部３と該係合凸３ａに係合する係合凹４ａを有している雌部４とからなる係止部材５をそれぞれに設けると共に、その雄部３と雌部４との間に雄部３の係合凸３ａが貫通する貫通孔６を設けている。前記雄部３、貫通孔６そして雌部４は外側に凸湾する仮想ラインＬの上に配置されているが、雄部３は係合凸３ａがエプロンＡの裏面側に有するように設られ、また雌部４は係合凹４ａがエプロンＡの表面側に有するように設けられている。
なお、取り付け部２の両端には前記同様の係合凸３ｂおよび係合凹４ｂが取り付けられている。
【００１５】
次にポケット部７の形成方法について説明する。
図２ａおよび図２ｂに示すように、胸当て部１をその表面側より指先Ｆ１、Ｆ２で摘み、雄部３および貫通孔６を矢印で示すようにそれぞれ内向きに引き寄せる。ついで前記係合凸３ａを矢印で示すように貫通孔６に貫通させ、図２ｃに示すように先の指先Ｆ１、Ｆ２で前記貫通孔に係合凸３ａが貫通した状態を支持しながら同時に胸当て部１が三角形状に重なり合っている状態を保持する。そしてそのままの状態で係合凸３ａと係合凹４ａ係合させる。その後他側方の係合部材も同様に結合させる。したがって片方の手の指先で袋部を形成することが簡単迅速に行なうことができるので、例えば他方の手で子供の体を支持しながら同時に袋部を形成することができる。なお、他方の手があいているときは指先Ｆ３で係合凹４ａの背面を支持して、係合凸３ａを係合させることも可能である。
【００１６】
図３に示すように、胸当て部１の下方は袋部７の背面８を兼ねているが、この胸当て部１の両側はシートＢを折り線が内向きに傾斜（垂直線Ｓに対し内向きに傾斜）するよう三角形状に折り重ねた三層で形成されている。したがって胸当て部１の下方両側あるいは袋部７の背面８両側は前記三層形成による張力で胸当て部の平面状態が保持されると共に袋部の口部９を横方向に確実に広げることを可能している。また口部の全面はシートＢが反転方向に原状復帰しようとする緩やかな張力によって緩やかに湾曲形成されるので、口部９は大きく開口することになる。さらに底部１０は略Ｖ字状に形成されているが、該Ｖ字状の底は前記袋部の背面の両側に形成されたそれぞれの三角形状の頂角を結ぶラインが底を形成しているので、矢印で示す両側からの外力によって袋部の形状が変形したり、また前面が前方向に倒れてしまったりするようなことは防止されている。
【００１７】
袋部７はこのように充分な開口と左右方向への張り状態を得ることができたから、胸当て部の両側が側襠に変化することはなく、またエプロンの幅が減幅することはない。したがって図４に示すように使用者の胸はエプロンで広範囲にカバーされ、横幅が広いそれ相当の開口部を有する袋部を有しているので、左右側をキョロキョロしながら食事をする乳幼児には広範囲の食べこぼしを最大限に防止可能にした。
【００１８】
また袋部７から食べこぼしを除去する場合、前面部の上方は柔軟であるから、開口部を蓋するように簡単に被せることができる。こうして蓋をすることによって中の食べこぼしが飛び出ないように状態で係止部材を簡単迅速に、かつ確実におこなうこととができる。
【００１９】
その他の実施形態として、前記実施形態の三層形成の中裏状態で当接する面と前記中表状態で当接する面のそれぞれの全面または一部に面ファスナーを設けても良い。この場合、袋部７の背面両側は補強されるので、両側方向からの押圧に対し袋部の形状が崩れて中の食べこぼしが飛び散ったりすることは防止されている。また貫通孔に係止め部を貫通させなくてもよいから、指先でシートを重ね合わせるだけで袋部を簡単に形成することができる。
【００２０】
さらに係合部材の他の実施形態としては、図５ａに示すように、胸当て部の所定位置に取り付けた断面がコ字形の引掛部材２０を採用することもできる。引掛部材２０は緩やかなバネ作用を有している。この引掛部材２０を採用したエプロンでは、袋部を形成するのに三層形成した状態を引掛部材２０のバネ作用で保持することができる。
【００２１】
また図５ｂに示すように、引掛部材２０の一方の縦爪２０ａ、２０ｂの下端を外向きにカーブしておけば、胸当て部の端縁が引掛部材２０に挿入しやすくなる。引掛部材２０を用いる場合、前述のようにシートＢを摘んで三層にし、縦爪２０ａを三層の下層の裏面側の端縁に引っ掛け、ついで前記三層の上層の表面側を縦爪２０ｂに掛けて引掛け部材２０に挿入させれば、三層は圧着することになる。この引掛部材は予め背当て部の下方に取り付けられていても良いが、エプロンとは別体で用意しておき、前記三層の端縁をキャップのように被せることも可能である。
【００２２】
なお、このエプロンの素材は非常に柔軟であるから、エプロンの縁に飾り用のトリミングを設けても良い。またこのエプロンは弱い張りを有する柔軟な性質のものであるから、胸当て部と取り付け部が一枚のシートによって形成されていても首と胸への圧迫感はなく、体に柔軟にかつ優しく沿うことができる。さらに使用後は完全に一枚の扁平のシートにして、また半分に折って収納することも可能である。
【図面の簡単な説明】
【図１】本発明のエプロンの一実施形態を示す展開正面図である。
【図２】図２ａ、図２ｂおよび図２ｃはそれぞれ図１のエプロンに袋部を形成する過程を示す要部正面図である。
【図３】図１のエプロンの斜面図である。
【図４】図１のエプロンの使用状態説明図である。
【図５】図５ａ、図５ｂは本発明のエプロンの他の実施形態を示す要部斜面図である。
【符号の説明】
１  胸当て部
２  取り付け部
３  雄部
３ａ  係合凸
３ｂ  係合凸
４  雌部
４ａ  係合凹
４ｂ  係合凹
５  係止部材
６  貫通孔
７  袋部
８  袋部の背面
９  口部
１０  底部
２０  引掛部材
２０ａ  引掛部材の縦爪
２０ｂ  引掛部材の縦爪
Ａ  エプロン
Ｂ  シート
Ｌ  仮想ライン
Ｓ  垂直線
Ｆ１  指先
Ｆ２  指先
Ｆ３  指先
【図１】
2004211256.tif 000003
【図２】
2004211256.tif 000004
【図３】
2004211256.tif 000005
【図４】
2004211256.tif 000006
【図５】
2004211256.tif 000007